(57)【要約】【課題】画面の統一感を向上させる処理の負荷を軽減すること。【解決手段】受信装置は、放送番組の第１画像を示す第１画像信号を取得する第１取得部と、前記第１画像とは異なる第２画像を示す第２画像信号を取得する第２取得部と、前記第１画像と前記第２画像との両方を表示する表示部と、前記第１画像信号のデータ形式を示すフォーマット情報を取得する第３取得部と、基準の変換率を表す基準変換率情報を取得する第４取得部と、前記フォーマット情報に基づき、前記第１画像信号のデータ形式がスタンダードダイナミックレンジ形式を示す場合に、前記基準変換率情報に基づいて、前記表示部が前記第２画像を表示するときの輝度範囲が所定の範囲となるように、前記第２画像の輝度の信号レベルを変換する変換部とを備える。【選択図】図２０
2017169097.tif 000002
【特許請求の範囲】
【請求項１】
放送番組の第１画像を示す第１画像信号を取得する第１取得部と、
前記第１画像とは異なる第２画像を示す第２画像信号を取得する第２取得部と、
前記第１画像と前記第２画像との両方を表示する表示部と、
前記第１画像信号のデータ形式を示すフォーマット情報を取得する第３取得部と、
基準の変換率を表す基準変換率情報を取得する第４取得部と、
前記フォーマット情報に基づき、前記第１画像信号のデータ形式がスタンダードダイナミックレンジ形式を示す場合に、前記基準変換率情報に基づいて、前記表示部が前記第２画像を表示するときの輝度範囲が所定の範囲となるように、前記第２画像の輝度の信号レベルを変換する変換部と、
を備える受信装置。
【請求項２】
前記表示部の輝度のダイナミックレンジを示すディスプレイ情報を取得する第５取得部を備え、
前記変換部は、前記ディスプレイ情報に基づいて、前記第２画像の輝度の信号レベルを変換する請求項１に記載の受信装置。
【請求項３】
前記変換部は、前記第３取得部が取得した前記フォーマット情報に基づいて、前記第２画像の輝度の信号レベルを変換する請求項１又は請求項２に記載の受信装置。
【請求項４】
前記変換部は、前記第４取得部が取得した前記基準変換率情報に基づいて、前記第２画像の輝度の信号レベルを変換する請求項１から請求項３のいずれか一項に記載の受信装置。
【請求項５】
前記変換部は、前記表示部の輝度のダイナミックレンジがハイダイナミックレンジであり、前記第１画像信号のデータ形式がハイダイナミックレンジ形式を示す場合に、前記第４取得部が取得した前記基準変換率情報に基づいて、前記第２画像の輝度の信号レベルを変換する請求項４に記載の受信装置。
【請求項６】
受信装置が、放送番組の第１画像を示す第１画像信号を取得する第１ステップと、
前記受信装置が、前記第１画像とは異なる第２画像を示す第２画像信号を取得する第２ステップと、
前記受信装置が、前記第１画像信号のデータ形式を示すフォーマット情報を取得する第３ステップと、
前記受信装置が、基準の変換率を表す基準変換率情報を取得する第４ステップと、
前記受信装置が、前記第３ステップに基づき、前記第１画像信号のデータ形式がスタンダードダイナミックレンジ形式を示す場合に、前記基準変換率情報に基づいて、前記第２画像を表示するときの輝度範囲が所定の範囲となるように、前記第２画像の輝度の信号レベルを変換する第５ステップと
前記受信装置が、前記第１画像と前記第２画像との両方を表示する第６ステップと、
を含む表示制御方法。
【請求項７】
受信装置のコンピュータに、
放送番組の第１画像を示す第１画像信号を取得する第１ステップと、
前記第１画像とは異なる第２画像を示す第２画像信号を取得する第２ステップと、
前記第１画像信号のデータ形式を示すフォーマット情報を取得する第３ステップと、
基準の変換率を表す基準変換率情報を取得する第４ステップと、
前記第３ステップに基づき、前記第１画像信号のデータ形式がスタンダードダイナミックレンジ形式を示す場合に、前記基準変換率情報に基づいて、前記第２画像を表示するときの輝度範囲が所定の範囲となるように、前記第２画像の輝度の信号レベルを変換する第５ステップと、
前記第１画像と前記第２画像との両方を表示する第６ステップと、
を実行させるためのプログラム。
【発明の詳細な説明】
【技術分野】
【０００１】
本発明は、受信装置、表示制御方法、及びプログラムに関する。
【背景技術】
【０００２】
ＨＤＲ（Ｈｉｇｈ  Ｄｙｎａｍｉｃ  Ｒａｎｇｅ）に対応したディスプレイの開発が進められている。ＨＤＲとは、従来のディスプレイの性能を超える輝度の範囲である。今後、放送サービスもＨＤＲに対応していくことが想定される。
他方、Ｈｙｂｒｉｄｃａｓｔ（登録商標）のように、放送と通信とを融合させた放送通信連携サービスが提供されている。このような放送通信連携サービスにおいて、テレビジョン受信装置は、放送の伝送路を介して伝送される放送コンテンツと、通信の伝送路を介して伝送される通信コンテンツとを同時に表示することができる。具体的には、例えば、放送番組と、ブラウザアプリケーションの実行により生成される画像とを並べて表示することができる。例えば、非特許文献１には、アプリケーションプログラムの起動などの状態を制御するための情報のデータ構成などが記載されている。
【先行技術文献】
【非特許文献】
【０００３】
【非特許文献１】「デジタル放送におけるＭＭＴによるメディアトランスポート方式  標準規格  ＭＭＴ−ＢＡＳＥＤ  ＭＥＤＩＡ  ＴＲＡＮＳＰＯＲＴ  ＳＣＨＥＭＥ  ＩＮ  ＤＩＧＩＴＡＬ  ＢＲＯＡＤＣＡＳＴＩＮＧ  ＳＹＳＴＥＭＳ  ＡＲＩＢ  ＳＴＤ−Ｂ６０  １．２版」，平成２７年（２０１５年）３月１７日，一般社団法人電波産業会
【発明の概要】
【発明が解決しようとする課題】
【０００４】
ところで、ＨＤＲ対応の放送サービスが開始された場合であっても、従来のディスプレイの性能の輝度の範囲（以下、ＳＤＲ（Ｓｔａｎｄａｒｄ  Ｄｙｎａｍｉｃ  Ｒａｎｇｅ）と称する。）の映像による放送サービスが直ちに終了されることは考えにくい。つまり、ＨＤＲの映像による放送サービスと、ＳＤＲの映像による放送サービスが混在する状況が想定される。また、テレビジョン受信装置も、ＨＤＲの映像をＨＤＲのまま表示する受信装置と、ＨＤＲの映像をＳＤＲに変換して表示する受信装置とが混在する状況が想定される。
このような状況において、放送コンテンツと、通信コンテンツとを、１つのテレビジョン受信装置で同時に表示しようとすると、各コンテンツを適切な明るさで表示できない可能性がある。例えば、放送コンテンツの映像信号に、通信コンテンツの映像信号をそのまま合成した場合には、通信コンテンツが過剰に明るく表示されてしまう可能性がある。また、同様のことは、メニューや字幕の表示でも発生し得る。各種コンテンツ、メニュー、字幕等は、それぞれ適切な明るさで表示されることが望ましい。
【０００５】
本発明のいくつかの態様は、各種コンテンツ、メニュー、字幕等を、それぞれ適切な明るさで表示するための処理の負荷を軽減することができる受信装置、表示制御方法、及びプログラムを提供することを目的の一つとする。
【０００６】
また、本発明の他の態様は、後述する実施形態に記載した作用効果を奏することを可能にする受信装置、表示制御方法、及びプログラムを提供することを目的の一つとする。
【課題を解決するための手段】
【０００７】
（１）本発明は上記の課題を解決するためになされたものであり、本発明の一態様は、放送番組の第１画像を示す第１画像信号を取得する第１取得部と、前記第１画像とは異なる第２画像を示す第２画像信号を取得する第２取得部と、前記第１画像と前記第２画像との両方を表示する表示部と、前記第１画像信号のデータ形式を示すフォーマット情報を取得する第３取得部と、基準の変換率を表す基準変換率情報を取得する第４取得部と、前記フォーマット情報に基づき、前記第１画像信号のデータ形式がスタンダードダイナミックレンジ形式を示す場合に、前記基準変換率情報に基づいて、前記表示部が前記第２画像を表示するときの輝度範囲が所定の範囲となるように、前記第２画像の輝度の信号レベルを変換する変換部と、を備える受信装置である。
【０００８】
（２）また、本発明の一態様は、上記の受信装置において、受信装置が、放送番組の第１画像を示す第１画像信号を取得する第１ステップと、前記受信装置が、前記第１画像とは異なる第２画像を示す第２画像信号を取得する第２ステップと、前記受信装置が、前記第１画像信号のデータ形式を示すフォーマット情報を取得する第３ステップと、前記受信装置が、基準の変換率を表す基準変換率情報を取得する第４ステップと、前記受信装置が、前記第３ステップに基づき、前記第１画像信号のデータ形式がスタンダードダイナミックレンジ形式を示す場合に、前記基準変換率情報に基づいて、前記第２画像を表示するときの輝度範囲が所定の範囲となるように、前記第２画像の輝度の信号レベルを変換する第５ステップと前記受信装置が、前記第１画像と前記第２画像との両方を表示する第６ステップと、を含む表示制御方法である。
【０００９】
（３）また、本発明の一態様は、上記の受信装置において、受信装置のコンピュータに、放送番組の第１画像を示す第１画像信号を取得する第１ステップと、前記第１画像とは異なる第２画像を示す第２画像信号を取得する第２ステップと、前記第１画像信号のデータ形式を示すフォーマット情報を取得する第３ステップと、基準の変換率を表す基準変換率情報を取得する第４ステップと、前記第３ステップに基づき、前記第１画像信号のデータ形式がスタンダードダイナミックレンジ形式を示す場合に、前記基準変換率情報に基づいて、前記第２画像を表示するときの輝度範囲が所定の範囲となるように、前記第２画像の輝度の信号レベルを変換する第５ステップと、前記第１画像と前記第２画像との両方を表示する第６ステップと、を実行させるためのプログラムである。
【発明の効果】
【００１０】
本発明によれば、各種コンテンツ、メニュー、字幕等を、それぞれ適切な明るさで表示するための処理の負荷を軽減することができる。
【図面の簡単な説明】
【００１１】
【図１】本発明の一実施形態に係る放送システムの概要を示す図である。
【図２】同実施形態に係る放送システムにおける放送番組の輝度の信号レベルの調整を説明するための第１図である。
【図３】同実施形態に係る放送システムにおける放送番組の輝度の信号レベルの調整を説明するための第２図である。
【図４】同実施形態に係る放送システムにおける放送番組の輝度の信号レベルの調整を説明するための第３図である。
【図５】同実施形態に係る受信装置による輝度の変換処理の概要を示す図である。
【図６】同実施形態に係る受信装置による輝度の変換処理のパターンの一例を示す図である。
【図７】同実施形態に係る受信装置の第１シナリオにおける処理の概要を示す図である。
【図８】同実施形態に係る受信装置の第２シナリオにおける処理の概要を示す図である。
【図９】同実施形態に係る受信装置の第３シナリオにおける処理の概要を示す図である。
【図１０】同実施形態に係る受信装置の第４シナリオにおける処理の概要を示す図である。
【図１１】同実施形態に係る受信装置の第５シナリオにおける処理の概要を示す図である。
【図１２】同実施形態に係る受信装置の第６シナリオにおける処理の概要を示す図である。
【図１３】同実施形態に係る放送システムの構成の一例を示す図である。
【図１４】同実施形態に係るＭＨ−イベント情報テーブルのデータ構成の一例を示す図である。
【図１５】同実施形態に係る映像コンポーネント記述子のデータ構成の一例を示す図である。
【図１６】同実施形態に係るＨＤＲ判別の値の設定例を示す図である。
【図１７】同実施形態に係る放送側送信装置の構成の一例を示すブロック図である。
【図１８】同実施形態に係る受信装置と表示装置との機能構成の一例を示す図である。
【図１９】同実施形態に係る受信装置のハードウェア構成の一例を示す図である。
【図２０】同実施形態に係る受信装置によるレベル調整処理の流れの一例を示すフローチャートである。
【図２１】変形例に係る受信装置による輝度の変換処理のパターンの一例を示す図である。
【図２２】比較対象の受信装置による輝度の変換処理の概要を示す図である。
【図２３】比較対象の受信装置による輝度の変換処理のパターンの一例を示す図である。
【図２４】同実施形態に係る受信装置の第２シナリオにおける処理の概要を示す図である。
【図２５】同実施形態に係る受信装置の第４シナリオにおける処理の概要を示す図である。
【図２６】同実施形態に係る受信装置の第６シナリオにおける処理の概要を示す図である。
【図２７】第２の比較対象の受信装置の第５シナリオにおける処理の概要を示す図である。
【図２８】第２の比較対象の受信装置による輝度の変換処理のパターンの一例を示す図である。
【図２９】第２の比較対象の受信装置によるレベル調整処理の流れの一例を示すフローチャートである。
【発明を実施するための形態】
【００１２】
まず、本実施形態に係る放送システム１の概要について説明する。
図１は、本実施形態に係る放送システム１の概要を示す図である。
本実施形態に係る放送システム１（図１３）は、ＨＤＲ放送番組とＳＤＲ放送番組とを放送するシステムである。
【００１３】
ＨＤＲ放送番組とは、ＨＤＲの映像ソースにより構成される放送番組である。換言すると、ＨＤＲ放送番組とは、ＨＤＲの明るさで表示されることを想定して作成された放送番組である。
ＳＤＲ放送番組とは、ＳＤＲの映像ソースにより構成される放送番組である。換言すると、ＳＤＲ放送番組とは、ＳＤＲの明るさで表示されることを想定して作成された放送番組である。
つまり、放送システム１は、輝度のダイナミックレンジが互いに異なる複数の放送番組を放送可能なシステムである。
【００１４】
本実施形態において、輝度には、光学輝度と画像輝度との２種類がある。
光学輝度とは、光源の明るさを表す心理物理量の１つである。光学輝度は、例えば、ディスプレイの明るさを表すときに用いる。本実施形態では、一例として、０〜２０００［ｃｄ／ｍ２］の輝度範囲をＨＤＲと称し、０〜１００［ｃｄ／ｍ２］の輝度範囲をＳＤＲと称する。つまり、ＨＤＲは、ＳＤＲに比して広い光学輝度のダイナミックレンジを示す。ただし、ＨＤＲ、ＳＤＲの輝度の範囲は上述したものに限定されず、例えば、放送システムに応じて任意に定められてよい。以下では、ダイナミックレンジとは、光学輝度のダイナミックレンジをいう。
画像輝度とは、映像ソースの表色系における明るさである。
【００１５】
放送システム１は、２種類のＨＤＲ形式と、ＳＤＲ形式との２つのデータ形式（フォーマット）で放送番組を伝送する。
ＨＤＲ形式とは、ＨＤＲ放送番組と、ＳＤＲ放送番組との両方の送信に適用可能な形式である。具体的には、ＨＤＲ形式とは、例えば、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）  ＳＴ．２０８４−２０１４、ＡＲＩＢ（一般社団法人  電波産業会）  ＳＴＤ．Ｂ６７等により規定される映像フォーマットである。以下では、一例として、放送番組の映像ソースがＹＣｂＣｒの色空間で表現されるデータである場合について説明する。ただし、映像ソースは、ＲＧＢ等の他の色空間で表現されるデータであってもよい。
【００１６】
ＨＤＲ形式では、画像輝度の信号レベルと、ＨＤＲとが対応付けられている。ＨＤＲ形式において、０〜５０［％］の画像輝度の信号レベルは、０〜１００［ｃｄ／ｍ２］の光学輝度に対応し、５０〜１００［％］の画像輝度の信号レベルは、１００〜２０００［ｃｄ／ｍ２］の光学輝度に対応する。従って、ＨＤＲ形式によりＨＤＲの映像ソースを伝送する場合、映像ソースの画像輝度の信号レベルは０〜１００［％］の範囲を取りうる。これに対して、ＨＤＲ形式によりＳＤＲ放送番組を伝送する場合、映像ソースは、後述するＳＤＲ形式のＳＤＲの映像ソースについて、画像輝度の信号レベルを０．５倍とした映像ソースであるため、映像ソースの画像輝度の信号レベルは０〜５０［％］の範囲を取りうる。以下では、映像信号について画像輝度の信号レベルの範囲のことを、レベル範囲と称する。
【００１７】
ＳＤＲ形式とは、ＳＤＲ放送番組にのみ適用可能な形式である。具体的には、ＳＤＲ形式とは、例えば、ＨＤＴＶ（Ｈｉｇｈ  Ｄｅｆｉｎｉｔｉｏｎ  Ｔｅｌｅｖｉｓｉｏｎ）のための映像フォーマットであり、Ｒｅｃ．ＩＴＵ−Ｒ  ＢＴ．７０９により規定される映像フォーマットである。ＳＤＲ形式では、画像輝度の信号レベルと、ＳＤＲとが対応付けられている。ＳＤＲ形式において、０〜１００［％］のレベル範囲は、０〜１００［ｃｄ／ｍ２］の光学輝度に対応する。ＳＤＲ形式によりＳＤＲ放送番組を伝送する場合、映像ソースの画像輝度の信号レベルは０〜１００［％］の範囲を取りうる。
このように、ＨＤＲ形式と、ＳＤＲ形式とでは、画像輝度の信号レベルと、ダイナミックレンジとの対応関係が異なる。
【００１８】
次に、受信装置１０に接続される表示装置１１について説明する。なお、受信装置１０と表示装置１１とは、例えばテレビのように一体の装置として構成されてもよいが、ここでは、一例として、受信装置１０と表示装置１１とが別体の装置として構成される場合について説明する。この場合、表示装置１１は、例えば、テレビ等のディスプレイパネルを備えた装置である。また、受信装置１０は、放送信号を受信して、受信した放送信号を表示装置１１で視聴可能な信号に変換するセットトップボックス等の装置である。
受信装置１０に接続される表示装置１１（図１３）は、ＳＤＲのみに対応したＳＤＲディスプレイを備える場合と、ＳＤＲとＨＤＲとに対応したＨＤＲディスプレイを備える場合とがある。以下では、一例として、受信装置１０と、表示装置１１とが、ＨＤＭＩ（登録商標）２．０ａ規格に準拠した通信を行う場合について説明する。
【００１９】
ＳＤＲディスプレイとは、ＳＤＲの光学輝度で表示を行うことが可能なディスプレイである。具体的には、ＳＤＲディスプレイは、入力された画像輝度の信号レベルが０〜１００［％］である場合には、０〜１００［ｃｄ／ｍ２］の光学輝度で表示する。具体的には、ＳＤＲディスプレイは、例えば、図１に示すグラフＥＯ１の電光伝達関数（ＥＯＴＦ、Ｅｌｅｃｔｒｏ  Ｏｐｔｉｃａｌ  Ｔｒａｎｓｆｅｒ  Ｆｕｎｃｔｉｏｎ）に基づき、画像輝度の信号レベルに応じた光学輝度で表示を行う。ここで、ＥＯＴＦとは、ディスプレイへの輝度の入力値と、ディスプレイの輝度の出力値との対応関係を記述する数学関数である。グラフＥＯ１において、縦軸は光学輝度（明るさ）を表し、横軸は、画像輝度の信号レベルを表す。
【００２０】
ＨＤＲディスプレイとは、ＨＤＲの光学輝度で表示を行うことが可能なディスプレイである。具体的には、ＨＤＲディスプレイは、入力された画像輝度の信号レベルが０〜１００［％］である場合には、０〜２０００［ｃｄ／ｍ２］の光学輝度で表示する。また、ＨＤＲディスプレイは、入力された画像輝度の信号レベルが０〜５０［％］である場合には、０〜１００［ｃｄ／ｍ２］の光学輝度で表示する。具体的には、ＨＤＲディスプレイは、例えば、図１に示すグラフＥＯ２のＥＯＴＦに基づき、画像輝度の信号レベルに応じた光学輝度で表示を行う。グラフＥＯ２において、縦軸は、光学輝度（明るさ）を表し、横軸は、画像輝度の信号レベルを表す。
【００２１】
ここで、図１を参照して、放送番組用の映像ソースの撮像から、放送番組が各種ディスプレイに表示されるまでの流れの概要を説明する。
図１に示す例において、映像ソースの撮像装置ＣＲは、光源ＳＵ１〜ＳＵ５を含む被写体ＳＵを撮像している。光源ＳＵ１〜ＳＵ５は、それぞれ、撮像装置ＣＲから見て光学輝度が異なる物体である。具体的には、光源ＳＵ１の光学輝度は、２０［ｃｄ／ｍ２］である。また、光源ＳＵ２の光学輝度は、５０［ｃｄ／ｍ２］であり、光源ＳＵ３の光学輝度は、１００［ｃｄ／ｍ２］である。また、光源ＳＵ４の光学輝度は、５００［ｃｄ／ｍ２］である。また、光源ＳＵ５の光学輝度は、２０００［ｃｄ／ｍ２］である。つまり、光源ＳＵ１〜ＳＵ３の光学輝度は、ＳＤＲ内であるが、光源ＳＵ４〜ＳＵ５の光学輝度は、ＳＤＲの上限以上である。撮像装置ＣＲが撮像した映像ソースにより構成される放送番組は、ＳＤＲ形式又はＨＤＲ形式のデータとして放送される。
【００２２】
図１において、３つの概念図ＳＧ１〜ＳＧ３は、それぞれ、撮像装置ＣＲにより撮像された被写体ＳＵの映像信号の概念を示す図である。概念図ＳＧ１〜ＳＧ３において、縦軸は、画像輝度の信号レベルを表す。また、横軸は、被写体ＳＵの横方向に対応する。以下では、ＳＤＲ放送番組の映像信号をＳＤＲ映像信号と称する。また、ＨＤＲ放送番組の映像信号をＨＤＲ映像信号と称する。
【００２３】
概念図ＳＧ１は、ＳＤＲ形式におけるＳＤＲ放送番組の映像信号の概念図である。概念図ＳＧ１において、光源ＳＵ１〜ＳＵ３に対応する映像信号ＳＧ１１〜ＳＧ１３の信号レベルは０〜１００［％］である。また、光源ＳＵ４〜ＳＵ５の光学輝度はＳＤＲの上限以上であるため、光源ＳＵ４〜ＳＵ５に対応する映像信号ＳＧ１４〜ＳＧ１５の信号レベルは１００［％］である。
図１の表示画面ＭＶ１は、概念図ＳＧ１に対応する映像信号をＳＤＲディスプレイに表示した場合の表示画面の例を示す。表示画面ＭＶ１において、光源ＳＵ１〜ＳＵ３に対応する画像ＭＶ１１〜ＭＶ１３は、光源ＳＵ１〜ＳＵ３の光学輝度を再現している。他方、表示画面ＭＶ１において、光源ＳＵ４〜ＳＵ５に対応する画像ＭＶ１４〜ＭＶ１５の光学輝度は、光源ＳＵ４〜ＳＵ５程高くなく、光源ＳＵ１〜ＳＵ３と光源ＳＵ４〜ＳＵ５との光学輝度の差が圧縮されている。
このようにＳＤＲ形式のＳＤＲ放送番組をＳＤＲディスプレイで表示する場合は、被写体ＳＵのうち１００［ｃｄ／ｍ２］以上の画像輝度の信号レベルは１００［％］となり、１００［ｃｄ／ｍ２］以上の光学輝度の差は表現されない。
【００２４】
概念図ＳＧ２は、ＨＤＲ形式におけるＨＤＲ放送番組の映像信号の概念図である。概念図ＳＧ２において、光源ＳＵ１〜ＳＵ３に対応する映像信号ＳＧ２１〜ＳＧ２３の信号レベルは０〜５０［％］である。また、光源ＳＵ４〜ＳＵ５に対応する映像信号ＳＧ２４〜ＳＧ２５の信号レベルは５０〜１００［％］である。
図１の表示画面ＭＶ２は、概念図ＳＧ２に対応する映像信号をＨＤＲディスプレイに表示した場合の表示画面の例を示す。表示画面ＭＶ２において、光源ＳＵ１〜ＳＵ３に対応する画像ＭＶ２１〜ＭＶ２３は、光源ＳＵ１〜ＳＵ３の光学輝度を再現している。また、表示画面ＭＶ２において、光源ＳＵ４〜ＳＵ５に対応する画像ＭＶ２４〜ＭＶ１５の光学輝度は、光源ＳＵ４〜ＳＵ５の光学輝度を再現している。
このようにＨＤＲ放送番組をＨＤＲディスプレイで表示する場合は、画像輝度の信号レベルに対応するダイナミックレンジが広いため、光源ＳＵ１〜ＳＵ３と光源ＳＵ４〜ＳＵ５とを異なる光学輝度で表現することができる。
【００２５】
概念図ＳＧ３は、ＨＤＲ形式におけるＳＤＲ放送番組の映像信号の概念図である。概念図ＳＧ３において、光源ＳＵ１〜ＳＵ３に対応する映像信号ＳＧ３１〜ＳＧ３３の信号レベルは０〜５０［％］である。また、光源ＳＵ４〜ＳＵ５の光学輝度はＳＤＲの上限以上であるため、光源ＳＵ４〜ＳＵ５に対応する映像信号ＳＧ３４〜ＳＧ３５の信号レベルは５０［％］である。
図１の表示画面ＭＶ３は、概念図ＳＧ３に対応する映像信号をＨＤＲディスプレイに表示した場合の表示画面の例を示す。表示画面ＭＶ３において、光源ＳＵ１〜ＳＵ３に対応する画像ＭＶ３１〜ＭＶ３３は、光源ＳＵ１〜ＳＵ３の光学輝度を再現している。これに対して、表示画面ＭＶ３において、光源ＳＵ４〜ＳＵ５に対応する画像ＭＶ１４〜ＭＶ１５の画像輝度は、光源ＳＵ４〜ＳＵ５程高くなく、光源ＳＵ１〜ＳＵ３と光源ＳＵ４〜ＳＵ５との光学輝度の差が圧縮されている。表示画面ＭＶ３における画像ＭＶ３１〜ＭＶ３５の光学輝度は、上述した表示画面ＭＶ１における画像ＭＶ１１〜ＭＶ１５の光学輝度と同等である。
【００２６】
このようにＳＤＲ放送番組では、ＨＤＲディスプレイに表示した場合であっても、被写体ＳＵのうち１００［ｃｄ／ｍ２］以上の画像輝度の信号レベルは、５０％となり、１００［ｃｄ／ｍ２］以上の光学輝度の差は表現されない。ただし、上述のように映像信号のレベル範囲を調整することにより、ダイナミックレンジが異なるディスプレイであっても、同様の光学輝度で放送番組を表示することができる。
【００２７】
ここで、ＳＤＲ放送番組は、ＳＤＲ形式とＨＤＲ形式との両方で伝送されるため、被写体ＳＵの光学輝度を適切に再現するには、ディスプレイのダイナミックレンジに応じて画像輝度の信号レベルの調整が必要になる場合がある。
【００２８】
他方、放送システム１は、放送サービスの他に、通信サービスを提供する。具体的には、受信装置１０は、通信を介して取得したコンテンツを、放送番組と同時に表示することができる。以下では、通信を介して取得したコンテンツを通信コンテンツと称する。ここで、通信コンテンツの映像信号は、一般にディスプレイのダイナミックレンジがＳＤＲであることを想定してレベル範囲が０〜１００［％］になるように生成される。しかしながら、上述したようにディスプレイのダイナミックレンジには、ＳＤＲ、ＨＤＲ等があり、統一されていない。従って、例えば、ＨＤＲのディスプレイに、レベル範囲が０〜１００［％］である通信コンテンツを表示させると、生成時に想定されたＳＤＲの光学輝度の範囲を超え、ＨＤＲの光学輝度の範囲で表示されてしまい、過剰に明るくなってしまう。また、例えば、通信コンテンツとともに画面に表示される放送番組のレベル範囲に、通信コンテンツの映像信号のレベル範囲を合わせてしまうと、放送番組のデータ形式やレベル範囲、ディスプレイのダイナミックレンジに応じて通信コンテンツの光学輝度が変動してしまい、適切な光学輝度で通信コンテンツが表示されない可能性がある。
【００２９】
そこで、本実施形態に係る受信装置１０は、ディスプレイが通信コンテンツを表示したときの光学輝度の範囲がＳＤＲとなるように、通信コンテンツの画像輝度の信号レベルを変換する。これにより、受信装置１０は、通信コンテンツと、放送番組とを、それぞれ適切な明るさで表示することができる。
【００３０】
本実施形態に係る受信装置１０は、ＳＤＲ形式における放送番組の映像信号を受信した場合、ディスプレイのダイナミックレンジによらず、通信コンテンツの映像信号のレベルの変換率を決定する。これにより、本実施形態に係る受信装置１０は、通信コンテンツの画像輝度の信号レベルの変換処理に係る負荷を軽減することができる。
【００３１】
以下では、通信コンテンツ、メニュー等、放送番組以外にディスプレイに表示される情報（画像）をグラフィックと称する。なお、以下では、グラフィックの画像輝度の信号レベルの調整と、放送番組の画像輝度の信号レベルの調整について説明するが、字幕の画像輝度を同様に調整してもよい。字幕の画像輝度の信号レベルは、例えば、グラフィックと同様に調整される。
以下では、画像輝度の信号レベルの変換処理をレベル変換処理と称する。
【００３２】
ここで、受信装置１０によるレベル変換処理後の画面表示の具体例について説明する。
図１の表示画面ＭＶ１、ＭＶ２、ＭＶ３には、それぞれ、グラフィックＧＰ１、ＧＰ２、ＧＰ３が示されている。グラフィックＧＰ１は、画像輝度の信号レベルが０〜５０［％］の画像であり、ＳＤＲディスプレイに表示したときの光学輝度の範囲が０〜５０［ｃｄ／ｍ２］となる画像である。グラフィックＧＰ２は、画像輝度の信号レベルが０〜５０［％］の画像であり、ＨＤＲディスプレイに表示したときの光学輝度の範囲が０〜１００［ｃｄ／ｍ２］となる画像である。グラフィックＧＰ３は、画像輝度の信号レベルが０〜５０［％］の画像であり、ＨＤＲディスプレイに表示したときの光学輝度の範囲が０〜１００［ｃｄ／ｍ２］となる画像である。このように、受信装置１０は、レベル範囲を調整し、ダイナミックレンジが異なるディスプレイに接続された場合であっても、同様の光学輝度でグラフィックを表示する。
【００３３】
［放送番組の画像輝度の変換パターンの概要］
次に、放送システム１の受信装置１０による放送番組の画像輝度の変換パターンの概要について説明する。
放送システム１は、６つのシナリオに応じて放送番組のレベル変換処理、グラフィックのレベル変換処理を行う。この６つのシナリオは、放送番組のデータ形式、放送番組の映像信号のレベル範囲（つまり、ＳＤＲ放送番組かＨＤＲ放送番組か）、及び、受信装置１０に接続されたディスプレイのダイナミックレンジの３つの条件により定まる。
【００３４】
ここで、第１シナリオＳＥ１から第６シナリオＳＥ６までの６つのシナリオにおける放送番組の画像輝度の信号レベルの調整について説明する。
図２〜図４は、実施形態に係る放送システムにおける放送番組の画像輝度の信号レベルの調整を説明するための図である。
【００３５】
＜第１シナリオ＞
第１シナリオＳＥ１（図２）では、ＨＤＲ形式で放送されたＳＤＲ放送番組が、ＳＤＲディスプレイに表示される。
図２に示すように、ＨＤＲ形式の場合、ＳＤＲ放送番組の映像信号ＨＳの他に、ＨＤＲ形式であることを示すＨＤＲフラグ情報ＦＬと、基準変換率の情報ＲＴとが受信装置１０に通知される。ここで、ＨＤＲフラグ情報とは、放送番組の映像信号のデータ形式を表す情報である。より具体的には、ＨＤＲフラグ情報とは、放送番組の映像信号のデータ形式がＨＤＲ形式であるか否かを表す情報である。基準変換率とは、ホワイト参照レベルのための映像レベル（Ｖｉｄｅｏ  ｌｅｖｅｌ  ｆｏｒ  ｒｅｆｅｒｅｎｃｅ  ｗｈｉｔｅ  
ｌｅｖｅｌ）である。以下では、一例として、基準変換率が５０％である場合について説明する。
【００３６】
第１シナリオＳＥ１において、受信装置１０は、ＳＤＲ放送番組の画像輝度の信号レベルを２倍に変換する。このときの変換率は、基準変換率の逆数である。これにより、放送番組の映像信号の画像輝度の信号レベルは、図２の概念図ＳＧ３に示すＳＧ３１〜ＳＧ３５から、図２の概念図ＳＧ３’に示すＳＧ３１’〜ＳＧ３５’のように変換される。つまり、画像輝度の信号レベルは、図１の概念図ＳＧ１に示すＳＧ１１〜ＳＧ１５と同等に変換される。その結果、ＳＤＲディスプレイには、図１の画面ＭＶ１に示す画像ＭＶ１１〜ＭＶ１５と同等の光学輝度で、図２の画面ＭＶ３’に示す画像ＭＶ３１’〜ＭＶ３５’が表示される。従って、ＳＤＲディスプレイにおいて、例えば、光源ＳＵ１〜ＳＵ３等の光学輝度の低い領域が、放送番組の制作者の意図に反して過剰に暗く表示されてしまうことを防ぐことができる。
【００３７】
＜第２シナリオ＞
第２シナリオＳＥ２（図２）では、ＨＤＲ形式で放送されたＳＤＲ放送番組が、ＨＤＲディスプレイに表示される。第２シナリオＳＥ２において、受信装置１０は、ＳＤＲ映像信号ＨＳの画像輝度の信号レベルを、倍率を変換することなくＨＤＲディスプレイに表示する。
【００３８】
＜第３シナリオ＞
第３シナリオＳＥ３（図３）では、ＨＤＲ形式で放送されたＨＤＲ放送番組が、ＳＤＲディスプレイに表示される。この第３シナリオＳＥ３において、受信装置１０は、ＨＤＲ映像信号ＨＨの画像輝度の信号レベルを２倍に変換して、ＳＤＲディスプレイに表示する。ただし、変換により信号レベルが１００［％］を超えた部分は、１００［％］とする。
この変換率は、基準変換率の逆数である。これにより、放送番組の映像信号の画像輝度の信号レベルは、図３の概念図ＳＧ２に示すＳＧ２１〜ＳＧ２５から、図３の概念図ＳＧ２’に示すＳＧ２１’〜ＳＧ２５’のように変換される。つまり、画像輝度の信号レベルは、図１の概念図ＳＧ１に示すＳＧ１１〜ＳＧ１５と同等に変換される。その結果、ＳＤＲディスプレイには、図１の画面ＭＶ１に示す画像ＭＶ１１〜ＭＶ１５と同等の光学輝度で、図２の画面ＭＶ２’に示す画像ＭＶ２１’〜ＭＶ２５’が表示される。従って、ＳＤＲディスプレイにおいて、例えば、光源ＳＵ１〜ＳＵ３等の光学輝度の低い領域が、放送番組の制作者の意図に反して過剰に暗く表示されてしまうことを防ぐことができる。
【００３９】
＜第４シナリオ＞
第４シナリオＳＥ４（図３）では、ＨＤＲ形式で放送されたＨＤＲ放送番組が、ＨＤＲディスプレイに表示される。この第４シナリオＳＥ４において、受信装置１０は、ＨＤＲ映像信号ＨＨの画像輝度の信号レベルを、倍率を変換することなくＨＤＲディスプレイに表示する。
【００４０】
＜第５シナリオ＞
第５シナリオＳＥ５（図４）では、ＳＤＲ形式で放送されたＳＤＲ放送番組が、ＳＤＲディスプレイに表示される。この第５シナリオＳＥ５において、受信装置１０は、ＳＤＲ映像信号ＳＳの画像輝度の信号レベルを、倍率を変換することなくＳＤＲディスプレイに表示する。
【００４１】
＜第６シナリオ＞
第６シナリオＳＥ６（図４）では、ＳＤＲ形式で放送されたＳＤＲ放送番組が、ＨＤＲディスプレイに表示される。この第６シナリオＳＥ６において、受信装置１０は、ＳＤＲ映像信号ＳＳの画像輝度の信号レベルを０．５倍に変換して、ＨＤＲディスプレイに変換する。この変換率は、基準変換率である。これにより、放送番組の映像信号の画像輝度の信号レベルは、図４の概念図ＳＧ２に示すＳＧ２１〜ＳＧ２５から、図４の概念図ＳＧ１’に示すＳＧ１１’〜ＳＧ１５’のように変換される。つまり、画像輝度の信号レベルは、図１の概念図ＳＧ１に示すＳＧ１１〜ＳＧ１５と同等に変換される。その結果、ＳＤＲディスプレイには、図１の画面ＭＶ１に示す画像ＭＶ１１〜ＭＶ１５と同等の光学輝度で、図２の画面ＭＶ２’に示す画像ＭＶ２１’〜ＭＶ２５’が表示される。従って、ＨＤＲディスプレイにおいて、例えば、光源ＳＵ１〜ＳＵ３等の光学輝度の低い領域が、放送番組の制作者の意図に反して明るく表示されてしまうことを防ぐことができる。
【００４２】
［グラフィックの変換パターンの概要］
次に、放送システム１の受信装置１０によるグラフィックの変換パターンの概要について説明する。
放送システム１は、上述した６つのシナリオに応じて、グラフィックの画像輝度を変換する。ここでは、受信装置１０が、ＳＤＲディスプレイに表示されることを想定し、０〜１００［％］の間のレベル範囲でグラフィックを生成する場合について説明する。つまり、受信装置１０がＳＤＲディスプレイを備える場合、受信装置１０は、ＳＤＲのダイナミックレンジに対応するグラフィックを生成する。また、受信装置１０がＨＤＲディスプレイを備える場合、受信装置１０は、ＨＤＲのダイナミックレンジに対応するグラフィックを生成する。
【００４３】
ここで、本実施形態に係る受信装置１０によるレベル変換処理と、比較対象の受信装置８０及び受信装置９０によるレベル変換処理との違いについて説明する。
まず、比較対象の受信装置９０による画像輝度の変換処理の概要について説明する。比較対象の受信装置９０は、受信装置１０と類似の構成を備えるが、第５シナリオＳＥ５（図４）におけるグラフィックの映像信号の変換率が受信装置１０と異なる。
次に、比較対象の受信装置８０による画像輝度の変換処理の概要について説明する。比較対象の受信装置８０は、受信装置１０と類似の構成を備えるが、グラフィックの映像信号の画像輝度を変換しない点が受信装置１０と異なる。
図２２は、比較対象の受信装置８０による画像輝度の変換処理の概要を示す図である。
受信装置８０は、デコーダー部８５０と、グラフィック処理部８６０と、レベル変換部８９０と、合成部９００と、を備える。
【００４４】
デコーダー部８５０は、放送番組の映像ストリームをデコードし、映像信号をレベル変換部８９０に出力する。
グラフィック処理部８６０は、文字、ブラウザ、メニュー等の各種グラフィックを生成し、生成したグラフィックの映像信号を合成部９００に出力する。
レベル変換部８９０は、上述した６つのシナリオに応じて、放送番組の映像信号の画像輝度を、制御信号である基準変換率に基づいて変換する。レベル変換部８９０は、変換後の放送番組の映像信号を合成部９００に出力する。
合成部９００は、放送番組の映像信号と、グラフィックの映像信号を合成する。合成部９００は、放送番組とグラフィックとが画面上に並んだり、重なったりするように各種映像信号を合成する。合成部２００が合成した映像信号は、表示装置１１に出力され、映像が表示される。
【００４５】
次に、本実施形態に係る受信装置１０によるレベル変換処理の概要について説明する。
図５は、本実施形態に係る受信装置１０によるレベル変換処理の概要を示す図である。
受信装置１０は、デコーダー部１５０と、グラフィック処理部１６０と、レベル変換部１９０と、合成部２００と、を備える。このうち、デコーダー部１５０、グラフィック処理部１６０、表示部２１０は、それぞれ、デコーダー部８５０、グラフィック処理部８６０と同様である。
【００４６】
レベル変換部１９０は、レベル変換部８９０と同様に、放送番組の映像信号の画像輝度を、制御信号である基準変換率に基づいて変換する。ただし、レベル変換部１９０は、グラフィックの映像信号の画像輝度も基準変換率に基づいて変換する点がレベル変換部８９０と異なる。レベル変換部１９０は、レベル変換処理後の放送番組の映像信号と、レベル変換処理後のグラフィックの映像信号とを、合成部２００に出力する。
【００４７】
合成部２００は、レベル変換部１９０から取得した放送番組の映像信号と、グラフィックの映像信号とを合成する。これにより、受信装置１０は、放送番組のデータ形式、放送番組の映像ソースのレベル範囲、ディスプレイのダイナミックレンジ等によらず、放送番組とグラフィックとを、それぞれの光学輝度の範囲を揃えて表示することができる。
【００４８】
次に、第１シナリオＳＥ１から第６シナリオＳＥ６における画像信号の変換と、ディスプレイに表示される各種映像の光学輝度との関係について説明する。
図６は、本実施形態に係る受信装置１０による画像輝度の変換処理のパターンを示す図である。
また、図２３は、比較対象の受信装置８０による画像輝度の変換処理のパターンを示す図である。
また、図２８は、比較対象の受信装置９０による画像輝度の変換処理のパターンを示す図である。
図６、図２３及び図２８において、送出フォーマット情報（図６、図２３及び図２８における「送出フォーマット」）は、放送番組のデータ形式を示す。また、映像ソース情報（図６及び図２４における「映像フォーマット」）は、放送番組の制作時の想定ダイナミックレンジを表す。また、ディスプレイ情報（図６、図２３及び図２８における「ディスプレイ」）は、ディスプレイのダイナミックレンジを表す情報である。具体的には、ディスプレイ情報とは、例えば、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）である。また、映像信号レベル変換情報（図６、図２３及び図２８における「レベル変換（映像ソース）」）は、放送番組の映像信号の画像輝度の変換率を表す。また、グラフィックレベル変換情報（図６、図２３及び図２８における「レベル変換（グラフィック）」）は、グラフィックの映像信号の画像輝度の変換率を表す。シナリオ情報（図６、図２３及び図２８における「シナリオ」）は、送出フォーマット情報、映像ソース情報、ディスプレイ情報の値に応じたシナリオを表す。
【００４９】
図６及び図２８に示すように、受信装置１０及び受信装置９０は、第２シナリオＳＥ２と、第４シナリオＳＥ４と、第４シナリオＳＥ５と、第６シナリオＳＥ６とにおいて、グラフィックの映像信号の画像輝度を、０．５倍に変換する。これに対して、図２３に示すように受信装置８０は、上述したようにグラフィックの映像信号の画像輝度を変換しない。
【００５０】
ここで、各シナリオにおける画像信号の変換と、ディスプレイに表示される各種映像の光学輝度との関係について具体的に説明する。
＜第１シナリオ＞
図７は、本実施形態に係る受信装置１０及び受信装置９０の第１シナリオＳＥ１における処理の概要を示す図である。
第１シナリオＳＥ１では、ＨＤＲ形式でＳＤＲ放送番組が放送されるため、ＳＤＲ映像信号のレベル範囲は、０〜５０［％］である。従って、このままＳＤＲ映像信号をＳＤＲディスプレイに表示すると、ＳＤＲ放送番組の作成時に想定されていた光学輝度０〜１００［ｃｄ／ｍ２］よりも暗い映像になってしまう。従って、受信装置１０及び受信装置９０は、ＳＤＲ映像信号の画像輝度の信号レベルを２倍にして、グラフィック映像信号と合成する。これにより、ＳＤＲ放送番組の作成時に想定されていた明るさで放送番組を表示しつつ、グラフィックを適切な明るさで表示することができる。
【００５１】
＜第２シナリオ＞
図８は、本実施形態に係る受信装置１０及び受信装置９０の第２シナリオＳＥ２における処理の概要を示す図である。また、図２４は、比較対象の受信装置８０の第２シナリオＳＥ２における処理の概要を示す図である。
第２シナリオＳＥ２では、ＨＤＲ形式でＳＤＲ放送番組が放送されるため、ＳＤＲ映像信号のレベル範囲は、０〜５０［％］である。他方、グラフィック映像信号のレベル範囲は、０〜１００［％］である。ここで、比較対象の受信装置８０は、グラフィック映像信号の画像輝度の信号レベルを変換せずに、ＳＤＲ映像信号とグラフィック映像信号とを合成する。従って、ＨＤＲディスプレイに表示される放送番組の光学輝度は、０〜１００［ｃｄ／ｍ２］であるのに対して、グラフィックの光学輝度は、０〜２０００［ｃｄ／ｍ２］であるため、グラフィックが過剰に明るくなり、画面内で明るさが不均一になってしまう。
これに対して、受信装置１０及び受信装置９０は、グラフィック映像信号の画像輝度の信号レベルを０．５倍にして、ＳＤＲ映像信号と合成する。これにより、ＳＤＲ放送番組の作成時に想定されていた明るさで放送番組を表示しつつ、グラフィックを適切な明るさで表示することができる。
【００５２】
＜第３シナリオ＞
図９は、本実施形態に係る受信装置１０及び受信装置９０の第３シナリオにおける処理の概要を示す図である。
第３シナリオでは、ＨＤＲ形式でＨＤＲ放送番組が放送されるため、ＨＤＲ映像信号のレベル範囲は、０〜１００［％］である。しかしながら、ＨＤＲ放送番組は、ＨＤＲでの表示を前提に作成されているため、そのままＳＤＲディスプレイに表示すると、放送番組制作時の想定に比して暗い画像になってしまう。そこで、受信装置１０及び受信装置９０は、ＨＤＲ映像信号の画像輝度の信号レベルを２倍にして、グラフィック映像信号と合成する。これにより、放送番組の光学輝度を適切に再現しつつ、グラフィックを適切な明るさで表示することができる。
【００５３】
＜第４シナリオ＞
図１０は、本実施形態に係る受信装置１０及び受信装置９０の第４シナリオにおける処理の概要を示す図である。また、図２５は、比較対象の受信装置８０の第４シナリオにおける処理の概要を示す図である。
第４シナリオでは、ＨＤＲ形式でＨＤＲ放送番組が放送されるため、ＨＤＲ映像信号のレベル範囲は、０〜１００［％］である。従って、このままＨＤＲ映像信号をＨＤＲディスプレイに出力しても、特に問題は生じない。他方、グラフィック映像信号のレベル範囲は、０〜１００［％］である。
【００５４】
ここで、比較対象の受信装置８０は、グラフィック映像信号の画像輝度の信号レベルを変換せずに、ＳＤＲ映像信号とグラフィック映像信号とを合成する。従って、ＨＤＲディスプレイに表示される放送番組の光学輝度は、０〜２０００［ｃｄ／ｍ２］であり、グラフィックの光学輝度は、０〜２０００［ｃｄ／ｍ２］である。この場合、一見すると、放送番組の光学輝度の範囲と、グラフィックの光学輝度の範囲が揃っているため、明るさが適切に調整できているように思われる。しかしながら、グラフィックは、ＳＤＲを想定して生成されているため、０〜２０００［ｃｄ／ｍ２］で表示すると明るくなり過ぎてしまう。
【００５５】
これに対して、受信装置１０及び受信装置９０は、グラフィック映像信号の画像輝度の信号レベルを０．５倍にして、ＨＤＲ映像信号と合成する。これにより、ＨＤＲ放送番組の作成時に想定されていた明るさで放送番組を表示しつつ、グラフィックを適切な明るさで表示することができる。
【００５６】
＜第５シナリオ＞
図１１は、本実施形態に係る受信装置１０の第５シナリオにおける処理の概要を示す図である。また、図２７は、比較対象の受信装置８０及び受信装置９０の第５シナリオにおける処理の概要を示す図である。
第５シナリオでは、ＳＤＲ形式でＳＤＲ放送番組が放送されるため、ＳＤＲ映像信号のレベル範囲は、０〜１００［％］である。従って、このままＨＤＲ映像信号をＳＤＲディスプレイに出力しても、特に問題は生じない。
そのため、受信装置８０及び受信装置９０は、ＳＤＲ映像信号と、グラフィック映像信号とを、画像輝度の信号レベルを変換することなく合成する。これにより、グラフィックを適切な明るさで表示することができる。
【００５７】
これに対して、受信装置１０は、グラフィック映像信号の画像輝度の信号レベルを０．５倍にして、ＨＤＲ映像信号と合成する。これにより、ＨＤＲ放送番組の作成時に想定されていた明るさで放送番組を表示しつつ、グラフィックを過剰に明るくすることなく表示することができる。
【００５８】
＜第６シナリオ＞
図１２は、本実施形態に係る受信装置１０及び受信装置９０の第６シナリオにおける処理の概要を示す図である。また、図２６は、比較対象の受信装置８０の第６シナリオにおける処理の概要を示す図である。
第６シナリオでは、ＳＤＲ形式でＳＤＲ放送番組が放送されるため、ＳＤＲ映像信号のレベル範囲は、０〜１００［％］ある。従って、このままＳＤＲ映像信号をそのままＨＤＲディスプレイに表示すると０〜２０００［ｃｄ／ｍ２］となり、ＳＤＲ放送番組の制作時に想定されていた０〜１００［ｃｄ／ｍ２］を適切に再現することができない。そこで、受信装置１０及び受信装置９０は、ＳＤＲ映像信号の画像輝度の信号レベルを０．５倍に変換する。
【００５９】
ここで、比較対象の受信装置８０は、グラフィックの映像信号の画像輝度を変換せずに、ＳＤＲ映像信号とグラフィック映像信号とを合成する。この場合、ＨＤＲディスプレイに表示される放送番組の光学輝度は、０〜１００［ｃｄ／ｍ２］であるのに対して、グラフィックの光学輝度は、０〜２０００［ｃｄ／ｍ２］であるため、グラフィックが過剰に明るくなり、画面内で明るさが不均一になってしまう。
【００６０】
これに対して、受信装置１０及び受信装置９０は、グラフィック映像信号の画像輝度の信号レベルも０．５倍にしてから、ＳＤＲ映像信号と合成する。これにより、ＳＤＲ放送番組の作成時に想定されていた明るさで放送番組を表示しつつ、グラフィックを適切な明るさで表示することができる。
【００６１】
［放送システムの構成］
次に、本実施形態に係る放送システム１の構成について説明する。
図１３は、本実施形態に係る放送システム１の構成の一例を示すブロック図である。
放送システム１は、放送サービスと、通信サービスとの両方を提供するシステムである。ここでは、一例として、放送システム１がメディアトランスポート方式としてＭＭＴ（ＭＰＥＧ  Ｍｅｄｉａ  Ｔｒａｎｓｐｏｒｔ）方式を用いる場合について説明する。
放送システム１は、受信装置１０と、表示装置１１と、放送側送信装置３０と、通信側送信装置５０と、を備える。
【００６２】
受信装置１０は、放送サービスと通信サービスとを受けることができる電子機器である。具体的には、受信装置１０は、例えば、セットトップボックス、テレビ、パーソナルコンピュータ、携帯電話、タブレット、スマートフォン、ＰＨＳ（Ｐｅｒｓｏｎａｌ  Ｈａｎｄｙ−ｐｈｏｎｅ  Ｓｙｓｔｅｍ）端末装置、又はＰＤＡ（Ｐｅｒｓｏｎａｌ  Ｄｉｇｉｔａｌ  Ａｓｓｉｓｔａｎｔ）等である。ここでは、一例として、受信装置１０がセットトップボックスである場合について説明する。
【００６３】
表示装置１１は、ディスプレイパネルを備えた装置である。表示装置１１と、受信装置１０とは、少なくとも、表示装置１１が備えるディスプレイのダイナミックレンジに応じた映像信号を伝送可能に接続されている。ディスプレイのダイナミックレンジがＨＤＲである場合には、表示装置１１と受信装置１０との間の接続には、例えば、ＨＤＭＩ（登録商標）２．０ａに準拠したケーブルが採用されてよい。
【００６４】
放送側送信装置３０は、放送コンテンツｉ１と、番組情報ｉ２とが多重された放送波を送信する装置である。ここで、番組情報ｉ２とは、番組の詳細を示す情報である。また、番組情報ｉ２とは、具体的には、ＭＭＴ方式におけるＭＭＴ−ＳＩ（サービス情報、Ｓｅｒｖｉｃｅ  Ｉｎｆｏｒｍａｔｉｏｎ）情報である。ＭＭＴ−ＳＩ情報には、例えば、番組の名称、放送日時、放送内容の説明など、番組に関する情報を伝送するテーブルであるＭＨ−ＥＩＴ（ＭＨ−イベント情報テーブル、ＭＨ−Ｅｖｅｎｔ  Ｉｎｆｏｒｍａｔｉｏｎ  Ｔａｂｌｅ）が含まれる。放送側送信装置３０が送信した放送波は、放送衛星ＢＳを介して、受信装置１０に伝送される。
通信側送信装置５０は、例えば、サーバ装置であり、通信コンテンツｉ３を受信装置１０に送信する装置である。通信側送信装置５０と、受信装置１０とは、それぞれ、ネットワークＮＷに接続し、互いに通信することができる。
【００６５】
ネットワークＮＷは、ＷＡＮ（Ｗｉｄｅ  Ａｒｅａ  Ｎｅｔｗｏｒｋ）及びＬＡＮ（Ｌｏｃａｌ  Ａｒｅａ  Ｎｅｔｗｏｒｋ）等によって構成される情報通信ネットワークである。ＷＡＮは、例えば、携帯電話網、ＰＨＳ（Ｐｅｒｓｏｎａｌ  Ｈａｎｄｙ−ｐｈｏｎｅ  Ｓｙｓｔｅｍ）網、ＰＳＴＮ（Ｐｕｂｌｉｃ  Ｓｗｉｔｃｈｅｄ  Ｔｅｌｅｐｈｏｎｅ  Ｎｅｔｗｏｒｋ；公衆交換電話網）、専用通信回線網、及びＶＰＮ（Ｖｉｒｔｕａｌ
Ｐｒｉｖａｔｅ  Ｎｅｔｗｏｒｋ）等によって構成される。
【００６６】
[ＭＨ−イベント情報テーブル]
次に、ＭＨ−ＥＩＴと、ＭＨ−ＥＩＴに含まれる情報とについて説明する。ここでは、説明を簡潔にするため、テーブルと、テーブルに含まれる情報とについての説明は、ＨＤＲ放送番組とＳＤＲ放送番組との提供に係る一部のテーブルについてのみに留めるが、放送システム１は、ＭＭＴ方式に係る全てのメッセージ、テーブル、及び記述子などの情報を扱うことができる。
まず、ＭＨ−ＥＩＴのデータ構造について説明する。
図１４は、本実施形態に係るＭＨ−ＥＩＴのデータ構造を示す概略図である。
図１４に示す例では、ＭＨ−ＥＩＴ（ＭＨ−Ｅｖｅｎｔ＿Ｉｎｆｏｒｍａｔｉｏｎ＿Ｔａｂｌｅ（））は、イベント識別（ｅｖｅｎｔ＿ＩＤ）、開始時刻（ｓｔａｒｔ＿ｔｉｍｅ）、継続時間（ｄｕｒａｔｉｏｎ）を含む。イベント識別とは、イベントの識別番号を示す。具体的には、例えば、イベント識別は、番組の識別情報を示す。開始時刻は、イベントの開始時刻を示す。つまり、開始時刻は、番組の開始時刻（日時）を示す。継続時間は、イベントの継続時間を示す。つまり、継続時間は、番組の放送時間長を示す。
【００６７】
また、ＭＨ−ＥＩＴは、イベント識別毎に記述子領域（ｄｅｓｃｒｉｐｔｏｒ（））を含む。記述子領域は、記述子を格納する領域である。本実施形態に係るＭＨ−ＥＩＴは、例えば、映像コンポーネント記述子を含むことができる。
【００６８】
[映像コンポーネント記述子]
次に、映像コンポーネント記述子（Ｖｉｄｅｏ＿Ｃｏｍｐｏｎｅｎｔ＿Ｄｅｓｃｒｉｐｔｏｒ（））について説明する。
映像コンポーネント記述子は、映像コンポーネントに関するパラメータや説明を示し、エレメンタリストリームを文字形式で表現するためにも利用される。
図１５は、本実施形態に係る映像コンポーネント記述子のデータ構造を示す概略図である。
映像コンポーネント記述子は、ＨＤＲ判別（ｖｉｄｅｏ＿ｈｄｒ＿ｆｌａｇ）を含む。
ＨＤＲ判別は、例えば、非特許文献１（ＡＲＩＢ  ＳＴＤ−Ｂ６０  １.２版）に記載の映像コンポーネント記述子に設けられた２ビットの「Ｒｅｓｅｒｖｅｄ（図１４）」フィールドのうち１ビット、又は２ビットを割り当てて、記述してもよい。
【００６９】
ＨＤＲ判別は、映像信号がＨＤＲ形式であることを示すＨＤＲフラグ情報である。また、ＨＤＲ判別は、映像信号の輝度特性を示す情報である。
ここで、ＨＤＲ判別の設定例について説明する。
図１６は、本実施形態に係るＨＤＲ判別の値の設定例を示す図である。
図１６には、ＨＤＲ判別に２ビットの情報が記述される場合のＨＤＲ判別の設定例を示す。ＨＤＲ判別の値が「０」の場合、映像信号が映像信号のデータ形式がＳＤＲ形式であり、基準変換率は、１００［％］であることを表す。また、ＨＤＲ判別の値が「１」の場合、映像信号のデータ形式がＨＤＲ形式であり、「白基準」が「５０％」であることを表す。つまり、ＨＤＲ判別の値が「１」の場合、基準変換率は、５０［％］である。また、ＨＤＲ判別の値が「２」の場合、映像信号のデータ形式がＨＤＲ形式であり、「白基準」が「７０％」であることを表す。つまり、ＨＤＲ判別の値が「２」の場合、基準変換率は、７０［％］である。このように、ＨＤＲフラグ情報と、変換率の情報とが１つの情報に集約されて伝送されてもよい。
【００７０】
［放送側送信装置の構成］
次に、放送側送信装置３０の構成について説明する。
図１７は、本実施形態に係る放送側送信装置３０の構成の一例を示すブロック図である。
放送側送信装置３０は、番組情報取得部３１０と、放送コンテンツ取得部３２０と、多重化部３３０と、暗号化部３４０と、送信部３５０と、を備える。
番組情報取得部３１０は、例えば、外部装置からの入力に基づいて、番組情報を生成する。番組情報取得部３１０は、生成した番組情報を多重化部３３０に出力する。
【００７１】
放送コンテンツ取得部３２０は、例えば、外部装置から番組データを取得する。番組データは、ＨＤＲ又はＳＤＲに対応した放送番組を表現する映像データと音声データを含むデータである。放送コンテンツ取得部３２０は、取得した番組データを、例えば、ストリーム形式等の所定の形式に変換する。そして、放送コンテンツ取得部３２０は、変換した番組データを多重化部３３０に出力する。
【００７２】
多重化部３３０は、番組情報取得部３１０から取得した番組情報と、放送コンテンツ取得部３２０から取得した放送コンテンツとを多重化して、所定の形式（例えば、トランスポートストリーム）の多重化データを生成する。多重化部３３０は、生成した多重化データを暗号化部３４０に出力する。
暗号化部３４０は、多重化部３３０から取得した多重化データを所定の暗号化方式（例えば、ＭＵＬＴＩ２）により暗号化する。暗号化部３４０は、暗号化した多重化データを送信部３５０に出力する。
送信部３５０は、暗号化部３４０から取得した多重化データを放送する。ここで、送信部３５０は、ベースバンド信号である多重化データにより所定の搬送周波数を有する搬送波を変調させて、搬送周波数に対応したチャネル帯域の電波（放送波）を、アンテナを用いて放射する。これにより、放送の伝送路を介して、受信装置１０に放送番組と、番組情報とが伝送される。
【００７３】
［受信装置と表示装置の機能的構成］
次に、受信装置１０と、表示装置１１との機能的構成について説明する。
図１８は、本実施形態に係る受信装置１０と、表示装置１１との機能的構成の一例を示すブロック図である。
受信装置１０は、チューナー部１１０と、復調部１２０と、通信部１３０と、分離部１４０と、デコーダー部１５０と、グラフィック処理部１６０と、ディスプレイ情報記憶部１７０と、判断部１８０と、レベル変換部１９０と、合成部２００と、ディスプレイ側通信部２１０と、を備える。
【００７４】
チューナー部１１０は、チューナーを備え、放送波を受信する。チューナー部１１０は、受信した放送信号を復調部１２０に出力する。
復調部１２０は、チューナー部１１０から取得した放送信号を復調する。復調部１２０は、復調した放送信号を分離部１４０に出力する。
通信部１３０は、通信側送信装置５０と通信を行い、通信側送信装置５０から配信されたデータを取得する。通信側送信装置５０は、取得したデータを分離部１４０に出力する。
【００７５】
分離部１４０は、復調部１２０から取得した放送信号から放送番組の映像信号と、放送番組の音声信号と、番組情報と、を分離する。また、分離部１４０は、通信部１３０から取得したデータから通信コンテンツのデータを分離する。また、分離部１４０は、復調部１２０から取得した放送信号、又は、通信部１３０から取得したデータから放送番組の字幕データを分離する。分離部１４０は、分離した放送番組の映像信号と、音声信号と、字幕データと、をデコーダー部１５０に出力する。また、分離部１４０は、分離した通信コンテンツのデータと、番組情報と、をグラフィック処理部１６０に出力する。
【００７６】
デコーダー部１５０は、各種信号を復号化（デコード）する。音声デコーダー部１５１と、ビデオデコーダー部１５２と、字幕デコーダー部１５３と、を備える。
音声デコーダー部１５１は、分離部１４０から取得した放送番組の音声信号を復号化する。音声出力部２２０は、復号化後の音声信号をディスプレイ側通信部２１０に出力する。
ビデオデコーダー部１５２は、分離部１４０から取得した放送番組の映像信号を復号化する。ビデオデコーダー部１５２は、復号化後の映像信号をレベル変換部１９０に出力する。
字幕デコーダー部１５３は、分離部１４０から取得した字幕データを復号化し、字幕表示用の映像信号を生成する。字幕デコーダー部１５３は、生成した字幕の映像信号をレベル変換部１９０に出力する。
【００７７】
グラフィック処理部１６０は、グラフィックの映像信号を生成する。グラフィック処理部１６０は、ブラウザ実行部１６１と、ＳＩ処理部１６２とを備える。
ブラウザ実行部１６１は、ブラウザアプリケーションを実行する。ブラウザ実行部１６１は、例えば、ブラウザアプリケーションの映像信号や、ブラウザアプリケーション上で提示される通信コンテンツの映像信号を生成する。ブラウザ実行部１６１は、生成した映像信号をレベル変換部１９０に出力する。
【００７８】
ＳＩ処理部１６２は、番組情報を処理する。ＳＩ処理部１６２は、分離部１４０から取得した番組情報を解析し、ＨＤＲフラグ情報と、基準変換率の情報とを取得する。具体的には、ＳＩ処理部１６２は、ＭＨ−ＥＩＴの映像コンポーネント記述子を抽出し、ＨＤＲ判定の値を参照することによりＨＤＲフラグ情報と、基準変換率の情報とを取得する。ＳＩ処理部１６２は、抽出したＨＤＲフラグ情報と、基準変換率の情報とを判断部１８０に出力する。
また、例えば、ＳＩ処理部１６２は、番組情報から抽出される電子番組表（ＥＰＧ、Ｅｌｅｃｔｒｏｎｉｃ  Ｐｒｏｇｒａｍ  Ｇｕｉｄｅ）等の提示可能な情報の映像信号を生成する。ＳＩ処理部１６２は、生成した映像信号をＳＩレベル変換部１９４に出力する。
【００７９】
ディスプレイ情報記憶部１７０は、受信装置１０に接続された表示装置１１のディスプレイの属性情報を記憶する。具体的には、ディスプレイ情報記憶部１７０は、ディスプレイの属性情報として、ディスプレイのダイナミックレンジを示すディスプレイ情報を記憶する。
判断部１８０は、デコーダー部１５０及びグラフィック処理部１６０が出力する各種映像信号の画像輝度の信号レベルの変換の要否を判断する。判断部１８０は、ＳＩ処理部１６２からＨＤＲフラグ情報と基準変換率の情報とを取得する。判断部１８０は、ＨＤＲフラグ情報に基づいて、放送番組のデータ形式を特定する。また、判断部１８０は、基準変換率の値に基づいて、放送番組のレベル範囲を特定する。また、判断部１８０は、ＨＤＲフラグ情報により、放送番組の映像信号のデータ形式がＨＤＲ形式であるか否か判定する。
判断部１８０は、放送番組の映像信号のデータ形式がＨＤＲ形式である場合、ディスプレイ情報記憶部１７０からディスプレイのダイナミックレンジの情報を読み出す。そして、判断部１８０は、放送番組のデータ形式、放送番組のダイナミックレンジ、及びディスプレイのダイナミックレンジに対応するシナリオを特定し、放送番組の映像信号の変換率と、グラフィックの映像信号の変換率とを決定する。
一方、判断部１８０は、放送番組の映像信号のデータ形式がＨＤＲ形式でない場合、放送番組のダイナミックレンジ、及びディスプレイのダイナミックレンジによらず、放送番組の映像信号の変換率と、グラフィックの映像信号の変換率とを決定する。
判断部１８０は、決定した放送番組の映像信号の変換率と、グラフィックの映像信号の変換率とをレベル変換部１９０に通知する。
【００８０】
レベル変換部１９０は、判断部１８０から通知される変換率に基づいて、各種映像信号の画像輝度の信号レベルを変換するレベル変換処理を実行する。具体的には、レベル変換部１９０は、例えば、ＹＣｂＣｒの色空間の映像信号において、輝度Ｙの値を変換することにより、信号レベルを変換する。映像信号がＲＧＢ等の他の色空間である場合には、ＹＣｂＣｒの色空間に変換してから、輝度Ｙの値を変換してもよい。レベル変換部１９０は、ビデオレベル変換部１９１と、字幕レベル変換部１９２と、ブラウザレベル変換部１９３と、ＳＩレベル変換部１９４と、を備える。
【００８１】
ビデオレベル変換部１９１は、ビデオデコーダー部１５２から放送番組の映像信号を取得する。ビデオデコーダー部１５２は、取得した映像信号の画像輝度の信号レベルを、判断部１８０から通知された放送番組の映像信号の変換率で変換する。具体的には、第１シナリオＳＥ１の場合、ビデオデコーダー部１５２は、画像輝度の信号レベルを２倍に変換する。また、第２シナリオＳＥ２の場合、ビデオデコーダー部１５２は、画像輝度の信号レベルを変換しない（等倍とする）。また、第６シナリオＳＥ６の場合、ビデオデコーダー部１５２は、画像輝度の信号レベルを０．５倍に変換する。ビデオデコーダー部１５２は、信号レベル変換後の映像信号を合成部２００に出力する。
【００８２】
字幕レベル変換部１９２は、字幕レベル変換部１９２から字幕の映像信号を取得する。
字幕レベル変換部１９２は、取得した映像信号の画像輝度の信号レベルを、判断部１８０から通知されたグラフィックの映像信号の変換率で変換する。具体的には、図６に示す例では、第１シナリオの場合、字幕レベル変換部１９２は、画像輝度の信号レベルを変換しない（等倍とする）。また、第２シナリオＳＥ２、第４シナリオＳＥ４、第５シナリオＳＥ５、第６シナリオＳＥ６の場合、字幕レベル変換部１９２は、画像輝度の信号レベルを０．５倍に変換する。
字幕レベル変換部１９２は、信号レベル変換後の映像信号を合成部２００に出力する。
【００８３】
ブラウザレベル変換部１９３は、ブラウザ実行部１６１から通信コンテンツの映像信号を取得する。ブラウザレベル変換部１９３は、取得した映像信号の画像輝度の信号レベルを、判断部１８０から通知されたグラフィックの映像信号の変換率で変換する。このときの変換率は、上述した字幕レベル変換部１９２と同様である。ブラウザレベル変換部１９３は、信号レベル変換後の映像信号を合成部２００に出力する。
【００８４】
ＳＩレベル変換部１９４は、ＳＩ処理部１６２から、例えば、電子番組表等の映像信号を取得する。ＳＩ処理部１６２は、取得した映像信号の画像輝度の信号レベルを、判断部１８０から通知されたグラフィックの映像信号の変換率で変換する。このときの変換率は、上述した字幕レベル変換部１９２と同様である。ＳＩ処理部１６２は、信号レベル変換後の映像信号を合成部２００に出力する。
【００８５】
合成部２００は、ビデオレベル変換部１９１、字幕レベル変換部１９２、ブラウザレベル変換部１９３、ＳＩレベル変換部１９４から各種映像信号を取得する。合成部２００は、取得した各種映像信号を、例えば、所定の画面レイアウトに基づいて合成する。合成部２００は、合成した映像信号をディスプレイ側通信部２１０に出力する。
ディスプレイ側通信部２１０は、例えば、ＨＤＭＩ（登録商標）２．０ａ規格に準拠した通信用ＩＣを備え、表示装置１１と通信する。ディスプレイ側通信部２１０は、合成部２００が出力した映像信号と、音声デコーダー部１５１が出力した音声信号とを、表示装置１１に送信する。これにより、表示装置１１は、映像と音声とを再生することができる。また、ディスプレイ側通信部２１０は、例えば、表示装置１１と最初に接続されたときに、ディスプレイ情報を表示装置１１から受信し、受信したディスプレイ情報をディスプレイ情報記憶部１７０に記憶させる。これにより、受信装置１０は、自装置に接続された表示装置１１のダイナミックレンジの情報を参照することができる。
【００８６】
次に、表示装置１１の機能的構成について説明する。
表示装置１１は、表示装置通信部１１１と、ディスプレイ情報記憶部１１２と、表示部１１３と、音声出力部１１４と、を備える。
表示装置通信部１１１は、例えば、ＨＤＭＩ（登録商標）２．０ａ規格に準拠した通信用ＩＣを備え、受信装置１０と通信する。表示装置通信部１１１は、受信装置１０から映像信号を受信して、表示部１１３に出力する。また、ディスプレイ情報記憶部１１２は、受信装置１０から音声信号を受信して、音声出力部１１４に出力する。また、表示装置通信部１１１は、例えば、受信装置１０と最初に接続されたときに、ディスプレイ情報記憶部１１２からディスプレイ情報を読み出して、読み出したディスプレイ情報を受信装置１０に送信する。なお、ディスプレイ情報の送信は、例えば、受信装置１０からの要求に応じて、任意のタイミングで行われてよい。
【００８７】
ディスプレイ情報記憶部１１２は、自装置の表示部１１３に関するディスプレイ情報を記憶する。
表示部１１３は、例えば、ＨＤＲ、ＳＤＲ等のダイナミックレンジの液晶ディスプレイパネル、プラズマディスプレイパネル等を備える。表示部１１３は、表示装置通信部１１１から取得した映像信号に基づいて、映像を表示する。
音声出力部１１４は、例えば、スピーカー、アンプ等を備える。音声出力部１１４は、表示装置通信部１１１から取得した音声信号に基づいて音声を再生する。
【００８８】
［受信装置のハードウェア構成］
次に、受信装置１０のハードウェア構成について説明する。
図１９は、本実施形態に係る受信装置１０のハードウェア構成の一例を示すブロック図である。
受信装置１０は、ＣＰＵ１００、ＲＯＭ１００１、ＲＡＭ１００２、不揮発メモリ１００３、チューナー（Ｔｕｎｅｒ）１０１、ネットワークインターフェース（Ｎｅｔｗｏｒｋ  Ｉ／Ｆ）１０２、復調モジュール（Ｄｅｃｒｙｐｔ）１０３、分離モジュール（Ｄｅｍｕｘ）１０４、音声復号モジュール（Ａｕｄｉｏ  Ｄｅｃｏｄｅｒ）１０５、映像復号モジュール（Ｖｉｄｅｏ  Ｄｅｃｏｄｅｒ）１０７、描画モジュール１０８、ビデオメモリ１０８１、及びディスプレイインターフェース１０９を含んで構成される。
ＣＰＵ１００と、記憶媒体１００１と、チューナー１０１と、ネットワークインターフェース１０２と、復調モジュール１０３と、分離モジュール１０４と、音声復号モジュール１０５と、映像復号モジュール１０７と、描画モジュール１０８と、ビデオメモリ１０８１とは、バス（母線）を介して相互に接続される。また、ディスプレイインターフェース１０９は、音声復号モジュール１０５及び描画モジュール１０８と接続される。
【００８９】
ＣＰＵ１００は、プログラム、各種データを読み出して、当該ＣＰＵ１００を備える自装置を制御する。ＣＰＵ１００は、各種グラフィック等の映像信号を生成する。ＲＯＭ１００１は、例えば、プログラムを記憶する記憶媒体である。ＲＡＭ１００２は、例えば、各種データ、プログラムを一時的に記憶する記憶媒体である。不揮発メモリ１０３は、ＨＤＤ、フラッシュメモリなどの記憶媒体であり、例えば、各種データを記憶する。
【００９０】
ＣＰＵ１００が読み出すプログラムは、ＲＯＭ１００１に記憶されている一例を示したが、他の記憶媒体に記憶されていてもよいし、ネットワークＮＷからダウンロードされたものであってもよい。ＣＰＵ１００が読み出す各種データは、不揮発メモリに記憶されている一例を示したが、ＲＯＭ１００１に記憶されていてもよいし、ネットワークＮＷからダウンロードした各種データであってもよい。
【００９１】
チューナー１０１は、放送波を受信する。ネットワークインターフェース１０２は、通信用インターフェースを有し、有線又は無線によりネットワークＮＷに接続される。復調モジュール１０３は、放送信号を復調する。分離モジュール１０４は、放送信号から各種データを分離する。音声復号モジュール１０５は、符号化された音声信号を復号化する。
映像復号モジュール１０７は、符号化された映像信号を復号化する。描画モジュール１０８は、各種映像信号の合成と、ビデオメモリ１０８１への映像信号の書き込みと、表示装置１１への映像信号の出力とを制御する。ビデオメモリ１０８１は、表示装置１１に表示される映像の映像信号を記憶する。ディスプレイインターフェース１０９は、描画モジュール１０８が合成した映像信号と、音声復号モジュール１０５が復号化した音声信号を表示装置１１に送信する。また、ディスプレイインターフェース１０９は、表示装置１１からディスプレイ情報を受信する。
【００９２】
［受信装置の動作］
次に、受信装置１０の動作について説明する。
図２０は、本実施形態に係る受信装置１０によるレベル調整処理の流れの一例を示すフローチャートである。
以下では、映像信号の画像輝度の信号レベルの変換に係る処理についてのみ説明する。
（ステップＳ１００）ＳＩ処理部１６２は、ＨＤＲフラグ情報を抽出する。その後、受信装置１０は、ステップＳ１０２に処理を進める。
【００９３】
（ステップＳ１０２）判断部１８０は、ＨＤＲフラグ情報を検出できたか否かを判定する。具体的には、判断部１８０は、映像コンポーネント記述子のＨＤＲ判別を参照することにより、ＨＤＲフラグ情報の有無を判定する。ＨＤＲフラグ情報を検出できた場合（ステップＳ１０２；ＹＥＳ）、受信装置１０は、ステップＳ１０４に処理を進める。また、ＨＤＲフラグ情報を検出できなかった場合（ステップＳ１０２；ＮＯ）、受信装置１０は、ステップＳ１１２に処理を進める。
【００９４】
（ステップＳ１０４）判断部１８０は、信号レベルの変換の倍率を検出する。具体的には、判断部１８０は、ＨＤＲ判別の値を参照することにより、基準変換率を特定する。その後、受信装置１０は、ステップＳ１０６に処理を進める。
（ステップＳ１０６）判断部１８０は、表示装置１１のディスプレイのダイナミックレンジがＨＤＲであるか否かを判定する。具体的には、判断部１８０は、ディスプレイ情報記憶部１７０に記憶されているディスプレイ情報を参照し、ディスプレイのダイナミックレンジを特定する。ＨＤＲディスプレイである場合（ステップＳ１０６；ＹＥＳ）、受信装置１０は、ステップＳ１０８に処理を進める。また、ＨＤＲディスプレイではない場合、すなわちＳＤＲディスプレイである場合（ステップＳ１０６；ＮＯ）、受信装置１０は、ステップＳ１１０に処理を進める。
【００９５】
（ステップＳ１０８）判断部１８０は、放送番組の映像信号以外について、すなわちグラフィックについて、画像輝度の信号レベルの変換率に、基準変換率の逆数を設定する。その後、受信装置１０は、ステップＳ１１６に処理を進める。
（ステップＳ１１０）判断部１８０は、放送番組の映像信号について、画像輝度の信号レベルの変換率に、基準変換率を設定する。その後、受信装置１０は、ステップＳ１１６に処理を進める。
【００９６】
（ステップＳ１１２）判断部１８０は、全ての映像信号について、画像輝度の信号レベルの変換率に、基準変換率の逆数を設定する。その後、受信装置１０は、ステップＳ１１４に処理を進める。
（ステップＳ１１４）レベル変換部１９０は、変換率が設定された映像信号について、画像輝度の信号レベルを変換する。そして、受信装置１０は、図２０に示す処理を終了する。
【００９７】
ここで、本実施形態に係る受信装置１０によるレベル調整処理と、比較対象の受信装置９０によるレベル調整処理との違いについて説明する。
図２９は、図２０で示すフローチャートの処理と比較するための、受信装置９０によるレベル調整処理の流れの一例を示すフローチャートである。
本フローチャートに示す処理は、一部を除いて、図２０で示すフローチャートの処理と同様であるため、図２０で示すフローチャートの処理と異なる部分のみを説明する。
【００９８】
（ステップＳ２０２）判断部１８０は、ＨＤＲフラグ情報を検出できたか否かを判定する。具体的には、判断部１８０は、映像コンポーネント記述子のＨＤＲ判別を参照することにより、ＨＤＲフラグ情報の有無を判定する。ＨＤＲフラグ情報を検出できた場合（ステップＳ２０２；ＹＥＳ）、受信装置９０は、ステップＳ２０４に処理を進める。また、ＨＤＲフラグ情報を検出できなかった場合（ステップＳ２０２；ＮＯ）、受信装置９０は、ステップＳ２１２に処理を進める。
【００９９】
（ステップＳ２１２）判断部１８０は、ディスプレイのダイナミックレンジがＨＤＲであるか否かを判定する。ＨＤＲディスプレイである場合（ステップＳ２１２；ＹＥＳ）、受信装置９０は、ステップＳ２１４に処理を進める。また、ＨＤＲディスプレイではない場合、すなわちＳＤＲディスプレイである場合（ステップＳ２１２；ＮＯ）、受信装置９０は、ステップＳ２１６に処理を進める。
【０１００】
ここで、ＨＤＲディスプレイの場合（第２シナリオＳＥ２または第４シナリオＳＥ４の場合）に、図２９で示すフローチャートの処理におけるステップＳ２１２の処理を考える。ステップＳ２１２の処理とは、判定部１８０の、ディスプレイのダイナミックレンジがＨＤＲであるか否かを判定する処理のことである。
既に説明したとおり、ＨＤＲディスプレイの場合には、グラフィックの信号レベルは０．５倍（図２８に示される）で変換される。これにより、受信装置９０は、放送番組の光学輝度を適切に再現しつつ、グラフィックを適切な明るさで表示することができる。
ステップＳ２１２の判定処理中に、受信装置９０の受信する映像信号のデータ形式が、ＳＤＲ形式からＨＤＲ形式へ切り替わる場合を考える。その場合、グラフィックのレベル変換率として１倍が選択されている状態では、受信装置９０が、意図していたものと異なる動作をする場合が考えられる。
【０１０１】
これに対して、受信装置１０は、ＳＤＲ形式における放送番組の映像信号を受信した場合、ディスプレイのダイナミックレンジによらず、グラフィックのレベル変換率を０．５倍にする。そのため、ＨＤＲディスプレイの場合に、ステップＳ１１２の判定処理中に、受信装置１０の受信する映像信号のデータ形式が、ＳＤＲ形式からＨＤＲ形式へ切り替わった場合、意図していたものと異なる輝度でグラフィックが表示されてしまうことを避けることができる。
【０１０２】
また、図２０で示すフローチャートの処理においては、図２８で示すフローチャートの処理におけるステップＳ２１２に相当する判定処理がない。そのため、受信装置１０は、各種コンテンツ、メニュー、字幕等を、それぞれ適切な明るさで表示するための処理を行う際、処理の負荷を軽減することができる。
【０１０３】
［実施形態のまとめ］
以上説明してきたように、本実施形態に係る受信装置１０は、放送番組の第１画像（映像）を示す第１画像信号を取得するビデオデコーダー部１５２（第１取得部の一例）と、第１画像とは異なる第２画像（例えば、グラフィック、字幕）を示す第２画像信号を取得する通信部１３０（第２取得部の一例）と、第１画像と第２画像との両方を表示する表示部２１０（表示部の一例）と、第１画像信号のデータ形式を示すフォーマット情報（例えば、ＨＤＲ判別）を取得するＳＩ処理部１６２（第３取得部の一例）と、基準の変換率を表す基準変換率情報（例えば、ＨＤＲ判別）を取得するＳＩ処理部１６２（第４取得部の一例）と、フォーマット情報に基づき、第１画像信号のデータ形式がスタンダードダイナミックレンジ形式を示す場合に、基準変換率情報に基づいて、表示部２１０が第２画像を表示するときの輝度範囲が所定の範囲となるように、第２画像の輝度の信号レベルを変換する変換部１９０（変換部の一例）とを備える。
【０１０４】
これにより、受信装置１０は、各種コンテンツ、メニュー、字幕等を、それぞれ適切な明るさで表示するための処理の負荷を軽減することができる。
【０１０５】
また、受信装置１０は、表示部２１０の光学輝度のダイナミックレンジを示すディスプレイ情報を取得する判断部１８０（第５取得部の一例）、を備え、レベル変換部１９０は、ディスプレイ情報に基づいて、第２画像の画像輝度の信号レベルを変換する。
【０１０６】
これにより、受信装置１０は、ディスプレイのダイナミックレンジに基づいて、グラフィック、字幕等と、放送番組との画像輝度の信号レベルを調整することができる。従って、受信装置１０は、各種コンテンツ、メニュー、字幕等を、それぞれ適切な明るさで表示することができる。
【０１０７】
また、レベル変換部１９０は、ＳＩ処理部１６２が取得したフォーマット情報に基づいて、第２画像の画像輝度の信号レベルを変換する。
【０１０８】
これにより、受信装置１０は、放送番組の制作時に想定された明るさを正確に把握することができるため、各種コンテンツ、メニュー、字幕等を、それぞれ適切な明るさで表示することができる。
【０１０９】
また、レベル変換部１９０は、ＳＩ処理部１６２が取得した基準変換率情報に基づいて、第２画像の画像輝度の信号レベルを変換する。
【０１１０】
これにより、放送番組の放送側が指定した基準の変換率を把握することできるため、各種コンテンツ、メニュー、字幕等を、それぞれ適切な明るさで表示することができる。
【０１１１】
また、レベル変換部１９０は、表示部２１０の輝度のダイナミックレンジがハイダイナミックレンジであり、第１画像信号のデータ形式がハイダイナミックレンジ形式を示す場合に、ＳＩ処理部１６２が取得した基準変換率情報に基づいて、第２画像の輝度の信号レベルを変換する。
【０１１２】
これにより、放送番組の映像信号がＨＤＲ形式であり、ディスプレイがＨＤＲディスプレイであっても、これらのダイナミックレンジに揃えてしまうことなく、グラフィックの画像輝度の信号レベルを変換することができる。従って、受信装置１０は、各種コンテンツ、メニュー、字幕等を、それぞれ適切な明るさで表示することができる。
【０１１３】
［変形例］
以上、この発明の実施形態について図面を参照して詳述してきたが、具体的な構成は上述の実施形態に限られるものではなく、この発明の要旨を逸脱しない範囲の設計等も含まれる。例えば、上述の実施形態において説明した各構成は、任意に組み合わせることができる。
【０１１４】
なお、上述した実施形態では、基準変換率が５０［％］である場合について説明したが、これには限られない。例えば、基準変換率は７０［％］であってもよい。
図２１に基準変換率が７０［％］である場合の画像輝度の信号レベルの変換処理のパターンを示す。
図２１に示すパターンは、図６に示すパターンに対応し、各種情報が示す内容は同様である。ただし、図２１に示すパターンでは、映像信号レベル変換情報と、グラフィックレベル変換情報との値が異なる。
【０１１５】
なお、上述した実施形態では、放送システム１がメディアトランスポート方式としてＭＭＴ方式を用いる例について説明したが、これには限られない。放送システム１は、例えば、ＭＰＥＧ−２  ＴＳ方式やＲＴＰ（Ｒｅａｌ−ｔｉｍｅ  Ｔｒａｎｓｐｏｒｔ  Ｐｒｏｔｏｃｏｌ）方式をメディアトランスポート方式として用いてもよい。
【０１１６】
また、上述の受信装置１０、放送側送信装置３０、通信側送信装置５０の機能を実現するためのプログラムをコンピュータ読み取り可能な記録媒体に記録して、この記録媒体に記録されたプログラムをコンピュータシステムに読み込ませ、実行することにより受信装置１０、放送側送信装置３０、通信側送信装置５０としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。
【０１１７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。
【０１１８】
なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【符号の説明】
【０１１９】
１…放送システム、１０…受信装置、３０…放送側送信装置、５０…通信側送信装置、１１０…チューナー部、１２０…復調部、１３０…通信部、１４０…分離部、１５０…デコーダー部、１５１…音声デコーダー部、１５２…ビデオデコーダー部、１５３…字幕デコーダー部、１６０…グラフィック処理部、１６１…ブラウザ実行部、１６２…ＳＩ処理部、１７０…ディスプレイ情報記憶部、１８０…判断部、１９０…レベル変換部、１９１…ビデオレベル変換部、１９２…字幕レベル変換部、１９３…ブラウザレベル変換部、１９４…ＳＩレベル変換部、２００…合成部、２１０…表示部、２２０…音声出力部
【図１】
2017169097.tif 000003
【図２】
2017169097.tif 000004
【図３】
2017169097.tif 000005
【図４】
2017169097.tif 000006
【図５】
2017169097.tif 000007
【図６】
2017169097.tif 000008
【図７】
2017169097.tif 000009
【図８】
2017169097.tif 000010
【図９】
2017169097.tif 000011
【図１０】
2017169097.tif 000012
【図１１】
2017169097.tif 000013
【図１２】
2017169097.tif 000014
【図１３】
2017169097.tif 000015
【図１４】
2017169097.tif 000016
【図１５】
2017169097.tif 000017
【図１６】
2017169097.tif 000018
【図１７】
2017169097.tif 000019
【図１８】
2017169097.tif 000020
【図１９】
2017169097.tif 000021
【図２０】
2017169097.tif 000022
【図２１】
2017169097.tif 000023
【図２２】
2017169097.tif 000024
【図２３】
2017169097.tif 000025
【図２４】
2017169097.tif 000026
【図２５】
2017169097.tif 000027
【図２６】
2017169097.tif 000028
【図２７】
2017169097.tif 000029
【図２８】
2017169097.tif 000030
【図２９】
2017169097.tif 000031
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
放送番組の第１画像を示す第１画像信号を取得する第１取得部と、
前記第１画像とは異なる第２画像を示す第２画像信号を取得する第２取得部と、
前記第１画像と前記第２画像との両方を表示する表示部と、
前記第１画像信号のデータ形式を示すフォーマット情報を取得する第３取得部と、
基準の変換率を表す基準変換率情報を取得する第４取得部と、
前記フォーマット情報と前記基準変換率情報とに基づいて、前記第２画像の輝度の信号レベルを変換する変換部と、
を備え、
前記変換部は、前記第１画像信号のデータ形式がスタンダードダイナミックレンジ形式を示す場合に、前記第２画像の輝度の信号レベルを、
前記第１画像信号のデータ形式がハイダイナミックレンジ形式を示し、かつ、前記表示部の輝度のダイナミックレンジを示すディスプレイ情報がハイダイナミックレンジを示す場合の輝度範囲以下となるように、変換する受信装置。
【請求項２】
前記ディスプレイ情報を取得する第５取得部を備え、
前記変換部は、前記ディスプレイ情報に基づいて、前記第２画像の輝度の信号レベルを変換する請求項１に記載の受信装置。
【請求項３】
前記変換部は、前記第３取得部が取得した前記フォーマット情報に基づいて、前記第２画像の輝度の信号レベルを変換する請求項１又は請求項２に記載の受信装置。
【請求項４】
前記変換部は、前記第４取得部が取得した前記基準変換率情報に基づいて、前記第２画像の輝度の信号レベルを変換する請求項１から請求項３のいずれか一項に記載の受信装置。
【請求項５】
前記変換部は、前記表示部の輝度のダイナミックレンジがハイダイナミックレンジであり、前記第１画像信号のデータ形式がハイダイナミックレンジ形式を示す場合に、前記第４取得部が取得した前記基準変換率情報に基づいて、前記第２画像の輝度の信号レベルを変換する請求項４に記載の受信装置。
【請求項６】
受信装置が、放送番組の第１画像を示す第１画像信号を取得する第１ステップと、
前記受信装置が、前記第１画像とは異なる第２画像を示す第２画像信号を取得する第２ステップと、
前記受信装置が、前記第１画像信号のデータ形式を示すフォーマット情報を取得する第３ステップと、
前記受信装置が、基準の変換率を表す基準変換率情報を取得する第４ステップと、
前記受信装置が、前記フォーマット情報と前記基準変換率情報とに基づいて、前記第２画像の輝度の信号レベルを変換する第５ステップと
前記受信装置が、前記第１画像と前記第２画像との両方を表示部に表示する第６ステップと、
を含み、
前記第５ステップにおいて、前記受信装置が、前記第１画像信号のデータ形式がスタンダードダイナミックレンジ形式を示す場合に、前記第２画像の輝度の信号レベルを、
前記第１画像信号のデータ形式がハイダイナミックレンジ形式を示し、かつ、前記表示部の輝度のダイナミックレンジを示すディスプレイ情報がハイダイナミックレンジを示す場合の輝度範囲以下となるように、変換する表示制御方法。
【請求項７】
受信装置のコンピュータに、
放送番組の第１画像を示す第１画像信号を取得する第１ステップと、
前記第１画像とは異なる第２画像を示す第２画像信号を取得する第２ステップと、
前記第１画像信号のデータ形式を示すフォーマット情報を取得する第３ステップと、
基準の変換率を表す基準変換率情報を取得する第４ステップと、
前記フォーマット情報と前記基準変換率情報とに基づいて、前記第２画像の輝度の信号レベルを変換する第５ステップと、
前記第１画像と前記第２画像との両方を表示部に表示する第６ステップと、
を実行させ、
前記第５ステップにおいて、前記第１画像信号のデータ形式がスタンダードダイナミックレンジ形式を示す場合に、前記第２画像の輝度の信号レベルを、
前記第１画像信号のデータ形式がハイダイナミックレンジ形式を示し、かつ、前記表示部の輝度のダイナミックレンジを示すディスプレイ情報がハイダイナミックレンジを示す場合の輝度範囲以下となるように、変換させるためのプログラム。
【手続補正２】
【補正対象書類名】明細書
【補正対象項目名】００９６
【補正方法】変更
【補正の内容】
【００９６】
（ステップＳ１１２）判断部１８０は、グラフィックの映像信号について、画像輝度の信号レベルの変換率に、基準変換率の逆数を設定する。その後、受信装置１０は、ステップＳ１１４に処理を進める。
（ステップＳ１１４）レベル変換部１９０は、変換率が設定された映像信号について、画像輝度の信号レベルを変換する。そして、受信装置１０は、図２０に示す処理を終了する。
【手続補正３】
【補正対象書類名】図面
【補正対象項目名】図２０
【補正方法】変更
【補正の内容】
【図２０】
2017169097.tif 000032